(57)【特許請求の範囲】
【請求項１】
情報入力のために押圧操作可能な押圧操作部材と、
前記押圧操作部材の操作に応じて生成される電気信号を伝達するための電気配線と、
前記押圧操作部材を支持する支持面と、前記支持面と直交する方向に延びる軸部とを有する支持部材と、
前記軸部に回転可能に嵌合する嵌合穴を回転中心部に有し、前記押圧操作部材の周囲でエンドレスに回転操作可能な回転操作部材と、
前記回転操作部材とともに回転可能であって、この回転中心部に前記軸部を貫通させる貫通穴を有しており、前記回転操作部材の回転操作にクリック感を付与するためのクリック板と、
前記回転操作部材とともに回転可能であって、この回転中心部に前記軸部を貫通させる貫通穴を有しており、前記回転操作部材の回転操作を検出するための回転検出板と、
前記軸部を貫通させる貫通穴を有する機器本体の外装部材とを有し、
前記回転操作部材には、前記外装部材側の面に突出部が設けられ、該突出部の端部に前記クリック板が固着されていて、前記外装部材は前記回転操作部材と前記クリック板との間に挟み込まれ、
前記電気配線は、前記軸部の内部に配置されていることを特徴とする電子機器。
【請求項２】
前記突出部は、前記回転操作部材の嵌合穴の周囲に径方向へ所定の幅で設けられていて、
前記外装部材の貫通穴は、前記突出部よりも直径が大きく形成されていることを特徴とする請求項１に記載の電子機器。
【請求項３】
前記支持部材を固定するためのベース部材を有し、
前記回転検出板には導電パターンが形成されており、
前記導電パターンに接触する導通接片が、前記ベース部材に備え付けられていることを特徴とする請求項１または２に記載の電子機器。
【請求項４】
前記クリック板の外周面に所定ピッチで複数の凹部が形成されており、
前記ベース部材には前記回転操作部材の回転中心から径方向に延びる溝部が形成されており、
前記溝部には、前記クリック板の回転に伴い前記凹部に対して出入りする球部材と、この球部材を前記クリック板の外周面に向けて付勢するコイルバネとが収納されていることを特徴とする請求項３に記載の電子機器。
【請求項５】
前記ベース部材は、前記外装部材に固定されていることを特徴とする請求項３または４に記載の電子機器。
【発明の詳細な説明】
【０００１】
【発明の属する技術分野】
本発明は、カメラやビデオカメラ等の電子機器に関するものである。
【０００２】
【従来の技術】
カメラ及びビデオカメラ等といった携帯可能な小型電子機器においては、多様な入力手段を小型に配置することが要求されている。
【０００３】
例えば、カメラにおいては、ファインダー内に表示された複数の焦点検出領域のうち任意の焦点検出領域を選択することができる焦点検出領域選択手段として、ジョイスティックやトラックボール、又は複数の入力部を有する方向指定ボタンを用いている。
【０００４】
また、カメラ本体の背面に、フィルム面と直交する方向に回転軸を有する回転ダイヤルを設け、この回転ダイヤルの回転方向や回転量に応じて、カメラの撮影情報をはじめとする各種情報を設定するものがある。
【０００５】
さらに、回転ダイヤルをリング状に成形し、このリング状に成形された回転ダイヤルの中心部に回転しないボタン入力部を設けることにより、カメラ本体に対する装置全体の配置面積を小さく抑えるものがある。
【０００６】
【発明が解決しようとする課題】
例えば、カメラの焦点検出機構は、カメラ本体をホールドし、レリーズボタンを半押しした状態で作動するように構成されているが、焦点検出動作が行われている時にすばやく特定の焦点検出領域を選択するには、ジョイスティックやトラックボール等の焦点検出領域を選択するための入力装置を、カメラをホールドし、レリーズスイッチを押した状態でも、無理なく操作できる位置に配置する必要がある。例えば、右手でカメラ本体を保持した状態において、レリーズボタンの押圧操作のために人差し指を用いると、焦点検出領域を選択するための入力装置を操作することができる指は親指にほぼ限定され、親指によって操作しやすい入力装置の配置はカメラ本体の背面に必然的に決定される。
【０００７】
また、カメラの露出補正や撮影情報の入力・設定を行うために、フィルム面と直交する回転軸を有する回転ダイヤルをカメラ本体の背面に配置することが広く行われているが、この回転ダイヤルについても、カメラ本体をホールドしてファインダーを覗いた状態で露出補正や撮影情報の入力・設定を行う必要があるため、回転ダイヤルのカメラ本体に対する最適な配置は右手親指で操作しやすい位置に決定される。
【０００８】
従って、焦点検出領域を選択するための入力装置及び回転ダイヤルを１つのカメラ本体に設けようとすると、両者の最適な配置がカメラ本体の背面においてほぼ同じ位置になってしまう。ここで、両者は共に操作性上ある程度の操作部の大きさが必要となるため、両者共に良好な操作性を実現するようなレイアウトをすることができない。
【０００９】
そこで、このような問題点を解決する手段として、回転ダイヤルをリング形状とし、このリング形状の中心部に回転しないボタン入力部（焦点検出領域を選択するための入力装置）を配置することで、両者を統合してほぼ同じ位置に配置する構成が提案されている。これにより、２種類の情報を入力するための装置を右手親指で操作できるだけの大きさを確保しつつ、カメラ本体に対してコンパクトにほぼ同位置にレイアウトすることができる。
【００１０】
しかし、上述した構成には以下に述べる問題点がある。
【００１１】
まず、リング形状の回転ダイヤルの中心部に配置されたボタン入力部からの信号を伝達する配線やフレキシブル基板等の信号伝達部材を装置外部に配設される処理回路に接続するため、回転ダイヤルのリング形状の一部を犠牲にして、この部分を切り欠く必要がある。これにより、リング形状の回転ダイヤルは切り欠いた部分だけ回転の制限を受け、回転ダイヤルを回し続けることができなくなる。すると、例えば、回転ダイヤルをカメラの露出補正といった広いレンジの入力を必要とするものに用いる場合に、１ステップあたりの操作回転角を小さくするか、１ステップあたりのレンジ分解能を大きくしなければならない。このような構成をとると、情報を入力する装置としての用途が限られたり、操作性を著しく損ねたりすることになる。
【００１２】
そこで、ボタン入力部の外周を回転角度の制限なく回転ダイヤルが回り続けるようにするため、回転ダイヤルの軸中心部を切り欠いて、この切り欠いた軸中心部にボタン入力部を支持する円筒形状の支持部材を勘合させる構成が提案されている。この構成においては、円筒形状の支持部材の内部にボタン入力部と装置外部に配設される処理回路とを接続する信号伝達部材が配置される。一方、回転ダイヤルの回転を検知する回転検出板及び回転ダイヤルの回転にクリック感を与えるクリック板の回転中心軸は、回転ダイヤルの中心軸とは別の位置に設けられており、回転ダイヤルと、回転検出板及びクリック板の間にそれぞれギヤを介すことで、回転ダイヤルの回転を回転検出板及びクリック板に伝達している。
【００１３】
しかし、このような構成においては、ギヤを積層する分だけ装置の厚みが増してしまう。また、ギヤを介すことにより、軸間やバックラッシ等の調整が必要になると共に、装置全体の部品点数が多くなることでコストアップにもなる。さらに、回転検出板及びクリック板の中心軸が別々に設けられているため、カメラ本体に対する装置全体の配置面積が広くなり、コンパクトなレイアウトにすることができない。
【００１４】
【課題を解決するための手段】
上記課題を解決するために、本発明に係る電子機器は、情報入力のために押圧操作可能な押圧操作部材と、前記押圧操作部材の操作に応じて生成される電気信号を伝達するための電気配線と、前記押圧操作部材を支持する支持面と、前記支持面と直交する方向に延びる軸部とを有する支持部材と、前記軸部に回転可能に嵌合する嵌合穴を回転中心部に有し、前記押圧操作部材の周囲でエンドレスに回転操作可能な回転操作部材と、前記回転操作部材とともに回転可能であって、この回転中心部に前記軸部を貫通させる貫通穴を有しており、前記回転操作部材の回転操作にクリック感を付与するためのクリック板と、前記回転操作部材とともに回転可能であって、この回転中心部に前記軸部を貫通させる貫通穴を有しており、前記回転操作部材の回転操作を検出するための回転検出板と、前記軸部を貫通させる貫通穴を有する機器本体の外装部材とを有し、前記回転操作部材には、前記外装部材側の面に突出部が設けられ、該突出部の端部に前記クリック板が固着されていて、前記外装部材は前記回転操作部材と前記クリック板との間に挟み込まれ、前記電気配線は、前記軸部の内部に配置されていることを特徴とする。
【００１５】
これにより、押圧操作部材の周囲でエンドレスに回転操作可能な回転操作部材を有する情報入力装置において、部品点数を増やさず、かつ軸方向の厚みを最小限に押さえることが可能となる。
【００１６】
なお、回転検出板に導電パターンを形成し、回転検出板の回転に伴い導電パターンに接触可能な導通接片を、上記支持部材を保持するベース部材に固定することができる。また、クリック板の回転に伴いこのクリック板の外周面に形成された凹部に対して出入りする球部材と、この球部材をクリック板の外周面に向けて付勢するコイルバネとを、上記支持部材を保持するベース部材に形成された溝部（回転操作部材の回転中心から径方向に延びる溝部）内に収納することができる。これにより、情報入力装置全体の構成部品を少なくすることが可能となるとともに、情報入力装置の軸方向の投影面積をも小さくすることが可能となる。
【００１８】
【発明の実施の形態】
図１には、本発明の実施形態である情報入力装置を備えたカメラ（電子機器）の背面図を示す。
【００１９】
１０１はカメラ本体で、１０２はカメラ本体１の背面に取り付けられる背蓋である。１０３はファインダ窓で、撮影者がここより被写体像を観察する。１０４は視度調整ダイアルで、ファインダ窓１０３の内部に配設された不図示の移動レンズと連動しており、撮影者の視度に合うように移動レンズを移動させる。
【００２０】
１０５は露出値のロック等に用いられるＡＥロックボタンであり、１０６はフィルムの在否を確認するためのフィルム窓である。１０７はファンクションボタンであり、ブラケティング撮影やフィルムのＩＳＯ感度設定等に用いられる。
【００２１】
１０８は測光の方式を変更するための測光ボタンであり、１０９はフィルムの途中巻戻しを行うためのリワインドボタンである。１１０はデート機能入力ボタンであり、フィルムに撮影時等の情報を焼き付ける際に用いられ、入力された情報はデート表示部１１１に表示される。
【００２２】
１１２は操作部で、方向選択キー（押圧操作部材）１１３、方向選択キーカバー１１４および回転ダイヤル（回転操作部材）１１５からなる。
【００２３】
方向選択キー１１３は情報入力のために押圧操作されるボタンであり、左操作キー１１３ａ、右操作キー１１３ｂ、上操作キー１１３ｃ及び下操作キー１１３ｄにより構成される。本実施形態において方向選択キー１１３は、焦点検出領域を選択するために用いられる。
【００２４】
方向選択キーカバー１１４は、方向選択キー１１３を構成する各選択キーをそれぞれ分割し、押圧方向にのみ移動できるように固定する。
【００２５】
回転ダイヤル１１５は、方向選択キー１１３の外周側に回転可能に配置され、情報入力のために回転操作される。本実施形態では、回転ダイヤル１１５は、露出値を補正するために用いられる。
【００２６】
１１６は入力切換えボタンで、操作部１１２の作動状態をオン／オフするためのスイッチである。
【００２７】
なお、ＡＥロックボタン１０５及び操作部１１２は、カメラ本体１０１の背面において、カメラ本体１０１を右手でグリップしたときに親指で操作することが可能な位置に配置することが好ましい。ＡＥロックボタン１０５、方向選択キー１１３及び回転ダイヤル１１５については、その多くが撮影時に操作されるものであり、撮影者が右手１でカメラ本体１０１をグリップしたときに不図示のレリーズボタンを人差し指１ｂで操作すると、ＡＥロックボタン１０５及び操作部１１２は親指１ａで操作されることになるからである。
【００２８】
一方、視度調整ダイヤル１０４、ファンクションボタン１０７、測光ボタン１０８，リワインドボタン１０９、デート機能入力ボタン１１０及び入力切換えボタン１１６は、通常、撮影の前後に使用されるものであるため、カメラ本体１０１へ適宜配置することができる。
【００２９】
図２（Ａ）及び（Ｂ）に、撮影者がファインダ窓１０３から被写体を観察した様子を示す。
【００３０】
２００は被写体像を映す撮影画面であり、被写体として、２２０ａ、２２０ｂ、２２０ｃからなる３本の木２２０と、２２１ａ、２２１ｂの二人の人物２２１が映っている。
【００３１】
２０１〜２１５は撮影画面２００に表示された焦点検出領域であり、カメラはこれらの焦点検出領域のうちいずれか一つの焦点検出領域において、被写体にピントを合わせることができる。
【００３２】
２３０はカメラの撮影条件を表示する条件表示部であり、シャッタ秒時を示すシャッタ秒時表示部２３１、絞り値を示す絞り表示部２３２、適正露出に対するシフト量を示すシフト量表示部２３３、シフト量の指標となる指標部２３４及び点灯することで撮影者に合焦したことを知らせる合焦表示部２３５により構成される。
【００３３】
次に、方向選択キー１１３及び回転ダイヤル１１５の操作方法について説明する。
【００３４】
まず、カメラは複数の焦点検出領域から近点優先アルゴリズム等により被写体の状況に合わせていずれか一つの焦点検出領域を自動的に選択する。近点優先アルゴリズムにより焦点検出領域を選択する場合において、例えばカメラ本体に最も近い位置に木２２０ｃの上部があるときには、この木２２０ｃの上部を捉えている焦点検出領域２０５が選択される。このとき焦点検出領域２０５では、この領域が選択されたことを撮影者に知らせるために点滅する。同時に、焦点検出領域２０５に焦点をおいた測光値により設定されるシャッタ秒時と絞り値が、条件表示部２３０に表示される。この状態では露出補正を行っていないため、指標２３４はシフト量「０」を示している。
【００３５】
撮影者が実際に撮影したい被写体像が人物２２１ａである場合には、人物２２１ａの顔付近を捉えている焦点検出領域２０７を合焦するための焦点検出領域として選択する必要がある。このため、撮影者は、方向選択キー１１３を操作することにより、焦点検出領域を変更することになる。具体的には、まず下操作キー１１３ｄを１回押下することにより、焦点検出領域２０５から焦点検出領域２１０に変更する。次に、左操作キー１１３ａを３回押下して、焦点検出領域を２０９、２０８、２０７と順次に変更する。これにより、焦点検出領域２０７を選択することができ、焦点検出領域２０７が点滅すると共に（図２（Ｂ））、焦点検出領域２０７に焦点を置いた測光値により設定されるシャッタ秒時と絞り値が条件表示部２３０に表示される。
【００３６】
また、焦点検出領域２０７に焦点を置いた測光値により設定されたシャッタ秒時と絞り値を変更（露出補正）したい場合には、例えば、回転ダイヤル１１５を反時計方向に２ステップ回転させることで、−１／２段、−１段と露出シフト量を変更することができる。ここで、撮影モードがシャッター速度優先モードに設定されているときは絞り値のシフトを行い、絞り優先モードに設定されているときはシャッタ秒時のシフトを行う。これにより、シャッター秒時表示部２３１、絞り表示部２３２、シフト量表示部２３３には、露出値がシフトされた状態で表示される。
【００３７】
このように、撮影時において、方向選択キー１１３及び回転ダイヤル１１５を親指１ａで操作することができるため、焦点検出領域の選択及び露出補正を簡易に行うことができる。
【００３８】
次に、本実施形態のカメラに適用される情報入力装置全体の構成について、図３及び図４を用いて説明する。
【００３９】
図３には、情報入力装置の構成部品をダイヤル回転軸方向に分解したときの斜視図（俯角斜視図（Ａ），仰角斜視図（Ｂ））を示している。
【００４０】
方向選択キー１１３の裏面には、左操作キー１１３ａ、右操作キー１１３ｂ、上操作キー１１３ｃ、下操作キー１１３ｄのそれぞれに対応した導電性の接点１１３ｅ〜１１３ｈが設けられている。
【００４１】
１１７はフレキシブル基板で、接点１１３ｅ〜１１３ｈのそれぞれに対応した接点パターン１１７ａ〜１１７ｄが設けられており、接点１１３ｅ〜１１３ｈと当接することで信号が発生する。また、フレキシブル基板１１７は、撮影者が方向操作キー１１３の押圧操作により生成する信号を装置外部の処理回路に伝達するためのリード部１１７ｅ（電気配線）を備えている。
【００４２】
１１８は選択キー受け台（支持部材）で、方向選択キーカバー１１４、方向選択キー１１３及びフレキシブル基板１１７を積層したものを支持・固定する。選択キー受け台１１８の裏面側中心部には、円筒状に形成された回転嵌合軸１１８ｂが設けられており、この回転嵌合軸１１８ｂの中心部には、リード部１１７ｅを通過させるための受け台開口部１１８ａが設けられている。
【００４３】
回転ダイヤル１１５は、選択キー受け台１１８を支持するための凹部を有し、この中心部には回転嵌合軸１１８ｂと嵌合する嵌合穴１１５ａが設けられている。
【００４４】
また、回転ダイヤル１１５の裏面側には、嵌合穴１１５ａを有する円筒状に成形された背蓋軸１１５ｂが設けられている。背蓋軸１１５ｂは、背蓋１０２に設けられた、背蓋軸１１５ｂの直径より大きく、後述するクリック板１１９の外周直径より小さい不図示の背蓋軸穴に貫通して、回転ダイヤル１１５とクリック板１１９により背蓋１０２を挟み込む構造をとる。
【００４５】
１１９は回転ダイヤル１１５の回転にクリック感を与えるためのクリック板であり、このクリック板の外周縁は波状形状部１１９ａで構成され、中心部にはクリック板軸穴１１９ｂが設けられている。１２０は回転ダイヤル１１５の回転を検出するための位相基板（回転検出板）であり、裏面に導通パターン部１２０ａが設けられ、中心部には位相基板軸穴１２０ｂが設けられている。
【００４６】
クリック板１１９及び位相基板１２０は積層され、回転ダイヤル１１５の回転軸と同軸となるようにクリック板１１９が、背蓋軸１１５ｂの端部に固着されている。ここで、クリック板軸穴１１９ｂと位相基板軸穴１２０ｂは、回転嵌合軸穴１１５ａに比べ直径が大きく形成されており、回転嵌合軸１１８ｂは回転嵌合軸穴１１５ａにのみ嵌合する。
【００４７】
１２１は回転嵌合軸１１８ｂを固定するための受け台ベース（ベース部材）で、背蓋１０２に固定されており、回転嵌合軸１１８ｂを備えた選択キー受け台１１８を回転させることなく背蓋１０２に対して固定させる。また、回転嵌合軸１１８ｂとの当接面の中心部には、受け台開口部１１８ａを通過するリード部１１７ｅを装置外部に設けられた不図示の処理回路に接続させるためのベース開口部１２１ａが設けられている。
【００４８】
１２１ｂは受け台ベース１２１に備えつけられた金属接片で、位相基板１２０に設けられた導通パターン部１２０ａに当接することにより、回転ダイヤル１１５の回転角を電気信号に変換して、装置外部の処理回路に送る。
【００４９】
１２１ｃはクリックボール１２２及びクリックバネ１２３を配置させるためのガイド溝である。クリックボール１２２は、クリックバネ１２３の伸張力を受けており、回転ダイヤル１１５の回転に伴い、波状形状部１１９ａに合わせて３０１ａ又は３０１ｂに示す方向（図４参照）に移動する。
【００５０】
回転ダイヤル１１５の回転に伴い、クリックボール１２２が波状形状部１１９ａの凹部に入り込んだり凹部から出たりすることにより、回転ダイヤル１１５の回転にクリック感が生ずる。
【００５１】
次に、情報入力装置全体の動作について、図４を用いて説明する。図４は、図３に示す情報入力装置の各構成部品を組み立てた状態において、部分的にこの断面を示した図である。ここで、間隙３０３には、図４では不図示の背蓋１０２が配置される。
【００５２】
回転ダイヤル１１５は撮影者の回転操作により、時計回り３００ａ及び反時計回り３００ｂの回転方向３００に自在に回転し、回転ダイヤル１１５の回転に応じてクリック板１１９及び位相基板１２０も同様に回転する。方向選択キー１１３の押圧操作により生成した信号を情報入力装置外部に伝達するためのリード部１１７ｅを、回転ダイヤル１１５、クリック板１１９及び位相基板１２０の回転軸中心部を貫通する回転嵌合軸１１８ｂの中空部に配置することで、回転ダイヤルの一部を切り欠くといった回転の角度規制を行う必要がなくなり、撮影者は回転の角度規制を受けることなくすなわちエンドレスに、回転ダイヤル１１５を左右どちらの方向にも回し続けることができる。
【００５３】
クリック板１１９は回転ダイヤル１１５の回転に応じて回転するが、クリックボール１２２が波状形状部１１９ａの凹部に入り込んだとき、つまりクリックバネ１２３が伸びたときに、クリック板１１９の回転を止める。このため、回転ダイヤル１１５の角度分解能は、波状形状部１１９ａの波形状１周期分を１クリックによる回転角度とすることができ、この１クリックによる回転角度に合わせて位相基板１２０上の導通パターン１２０ａを設定する。
【００５４】
受け台ベース１２１に設けられた金属接片１２１ｂは、位相基板１２０上の導通パターン１２０ａに当接することにより、回転ダイヤル１１５の回転位置に応じた信号を情報入力装置外部の不図示の処理回路に送る。これにより、条件表示部２３０に表示される露出シフト量が設定変更される。
【００５５】
一方、撮影者が方向選択キー１１３のいずれかの操作キー（１１３ａ〜１１３ｄ）を押圧操作する（３０２ａに示す方向への移動）ことにより、押圧操作された操作キーがフレキシブル基板１１７に設けられた接点パターンと当接することにより信号が生成し、この信号がリード部１１７ｅを通り情報入力装置外部の処理回路に送られる。これにより、撮影画面２００に表示された焦点検出領域が変更する。また、押し込まれた操作キーは弾性変形による復元力（３０２ｂに示す方向への移動）で元の状態に戻る。ここで、方向選択キー１１３を支持する選択キー受け台１１８は、回転嵌合軸１１８ｂの端部で受け台ベース１２１に固定されているため、回転ダイヤル１１５が回転嵌合軸１１８ｂに嵌合して回転しても、選択キー受け台１１８は回転の影響を受けない。
【００５６】
本実施形態のカメラにより、情報入力装置をカメラ本体１０１に右手親指で操作することができる大きさで配置することができる。
【００５７】
また、クリック板１１９及び位相基板１２０を回転ダイヤル１１５の回転軸と同軸となるように配置しているため、カメラ本体１０１に対する情報入力装置の配置面積を少なくすることができる。さらに、クリック板１１９と、位相基板１２０及び回転ダイヤル１１５の間にギヤを介す必要がなくなるため、コストの低減を図ることができると共に、軸間やバックラッシ等の調整を行う必要がなくなる。
【００５８】
なお、本実施形態では、情報入力装置をカメラに用いた場合について説明したが、他の電子機器に適用してもよい。特に、本発明の情報入力装置は小型かつ薄型であるため、携帯型電子機器に好適である。
【００５９】
【発明の効果】
以上説明したように、本発明によれば、押圧操作部材の周囲でエンドレスに回転操作可能な回転操作部材を有する電子機器において、操作部材の部品点数を増やさず、かつ軸方向の厚みを最小限に抑えることができる。
【００６０】
なお、回転検出板に導電パターンを形成し、回転検出板の回転に伴い導電パターンに接触可能な導通接片を、支持部材を保持するベース部材に固定することができる。また、クリック板の回転に伴いこのクリック板の外周面に形成された凹部に対して出入りする球部材と、この球部材をクリック板の外周面に向けて付勢するコイルバネとを、上記ベース部材に形成された溝部（回転操作部材の回転中心から径方向に延びる溝部）内に収納することができる。これにより、情報入力装置全体の構成部品を少なくすることができるとともに、情報入力装置の軸方向の投影面積（つまりは、電子機器における配置面積）をも小さくすることができる。
【図面の簡単な説明】
【図１】本発明の実施形態である情報入力装置を備えたカメラの背面図。
【図２】上記カメラのファインダー視野図。
【図３】上記情報入力装置の分解斜視図。
【図４】上記情報入力装置の組み立て状態での断面図。
【符号の説明】
１  撮影者右手
１ａ  撮影者右手親指
１０１  カメラ本体
１０２  背蓋
１０３  ファインダ窓
１１３  方向選択キー
１１３ａ〜１１３ｄ  方向操作キー（左操作キー、右操作キー、上操作キー、下操作キー）
１１３ｅ〜１１３ｈ  接点
１１４  方向選択キーカバー
１１５  回転ダイヤル
１１５ａ  回転嵌合穴
１１５ｂ  背蓋軸
１１６  入力切換えボタン
１１７  フレキシブル基板
１１７ａ〜１１７ｄ  接点パターン
１１７ｅ  リード線
１１８  選択キー受け台
１１８ａ  受け台開口部
１１８ｂ  回転嵌合軸
１１９  クリック板
１１９ａ  波状形状部
１１９ｂ  クリック板軸穴
１２０  位相基板
１２０ａ  導通パターン
１２０ｂ  位相基板軸穴
１２１  受け台ベース
１２１ａ  ベース開口部
１２１ｂ  金属接片
１２１ｃ  ガイド溝
１２２  クリックボール
１２３  クリックバネ
２００  撮影画面
２０１〜２１５  焦点検出領域
２３０  条件表示部
２３１  シャッタ秒時表示部
２３２  絞り表示部
２３３  シフト量表示部
３００  回転ダイヤル回転方向
３０１  クリックボール移動方向
３０２  操作キー操作方向
３０３  間隙
【図１】
0004416291.tif 000002
【図２】
0004416291.tif 000003
【図３】
0004416291.tif 000004
【図４】
0004416291.tif 000005